(57)【要約】【課題】シート体によって容易に組み立てることができ、収容された物品の姿勢の保持性も高く、吊り下げ及び自立に適する、収納容器及びその製法を提供する。【解決手段】この発明の包装容器１０は、第１主面部１２と、前記第１主面部に連設された、第２主面部１４とを有し、筒状に形成された前記第１主面部１２と第２主面部１４との間の収容部２０の中に、仕切り部１６を設けられ、前記仕切り部１６は、被包装物品Ｇを装填する物品挿入孔５０を形成され、第１主面部１２と第２主面部１４との間の底部２４は、外方に向けて膨らみ、第１主面部１２の内面と第２主面部１４の内面とに、仕切り部１６に連設された底部片２８を架け渡されて、収容部２０を塞いでいる。【選択図】図１
2014151930.tif 000002
【特許請求の範囲】
【請求項１】
上下方向にのびる長手方向を有する第１主面部と、前記第１主面部に連設された、上下方向にのびる長手方向を有する第２主面部とを有する包装容器であって、
筒状に形成された前記第１主面部と第２主面部との間の被包装物品を収容する収容部の中に、第１主面部側の第１空間部と第２主面部側の第２空間部とに分ける仕切り部を設けられ、
前記仕切り部は、被包装物品の脱落を防ぐための被包装物品を装填する物品挿入孔を形成され、
第１主面部と第２主面部との間の底部は、被包装物品の形状に沿って外方に向けて膨らみ、第１主面部の内面と第２主面部の内面とに、仕切り部に連設された底部片を架け渡されて、収容部を塞いでいる、包装容器。
【請求項２】
上下方向にのびる長手方向を有する第１主面部と、前記第１主面部に連設された、上下方向にのびる長手方向を有する第２主面部とを有する包装容器であって、
筒状に形成された前記第１主面部と第２主面部との間の被包装物品を収容する収容部の中に、第１主面部側の第１空間部と第２主面部側の第２空間部とに分ける仕切り部を設けられ、
前記仕切り部は、下端に突設された底部片を備え、底部片の一方の端部及び／又は他方の端部と中央部との間には段差部を形成され、該段差部から仕切り部の長さ方向にのびる保持部を形成され、
該保持部は、第１主面部と第２主面部との間の間隔をあけて収容部の中に向けて変移され、被包装物品の側胴部を保持するように、収容部内において被包装物品に沿ってのびる、包装容器。
【請求項３】
第１主面部と第２主面部とは隣接して、隣接する境目辺において連設され、仕切り部は、前記第１主面部又は第２主面部と隣接して、隣接する境目辺において連設され、
該隣接する境目辺から第１主面部と第２主面部との間の収容部にのびて、収容部に収容された被包装物品の側胴部を保持するように形成された、請求項１又は請求項２に記載の包装容器。
【請求項４】
仕切り部は、被包装物品の形状に沿って外方に向けて膨らむ第１主面部と第２主面部との内側面の形状及び／又は被包装物品の形状に対応した形状の折り目線を境として、底部片を連設され、
前記底部片は、前記折り目線とは反対側の底部辺が第１主面部と第２主面部との内側面の形状に対応した形状であって、該折り目線において第１主面部及び第２主面部と交差する方向に向けて折り曲げられて、第１主面部の内側面と第２主面部の内側面との間に架け渡された、請求項１ないし請求項３のいずれかに記載の包装容器。
【請求項５】
仕切り部は、長手方向にのびる物品挿入孔を形成されて少なくとも一部分が左右に分割され、該物品挿入孔の孔縁の近傍に保持部を形成され、
前記保持部は、物品挿入孔に装填された被包装物品の側胴部に接し合うように形成された、請求項１ないし請求項４のいずれかに記載の包装容器。
【請求項６】
仕切り部は、折り目線を介して底部片を連設され、
底部片は、第１主面部と第２主面部とに対向する第１底部辺と第２底部辺とを備え、
前記折り目線は、前記第１底部辺を構成し、前記折り目線とは反対側の端縁は、前記第２底部辺を構成し、
前記折り目線において上方向に向けて底部片を折り曲げ、前記第２底部辺を第２主面部と対向させて、該底部片を第１主面部の内側面と第２主面部の内側面との間に架け渡された、請求項１ないし請求項５のいずれかに記載の包装容器。
【請求項７】
底部片は、第１主面部及び／又は第２主面部に対向する第１底部辺と第２底部辺とを備え、
該第１底部辺又は第２底部辺は、一方の端部及び／又は他方の端部と中央部との間には段差部を形成され、
仕切り部は、底部片の段差部から仕切り部の長手方向にのびる保持部を形成され、
該保持部は、左右に分割され且つ第１主面部と第２主面部との間の間隔をあけて収容部の中に向けて変移されて、収容部において被包装物品に沿ってのばされた、請求項１ないし請求項６のいずれかに記載の包装容器。
【請求項８】
物品挿入孔は、収容部に収容される被包装物品の外形よりわずかに小さな孔であって、孔縁の近傍に形成された保持部が被包装物品に弾接されるように構成された、請求項１ないし請求項７のいずれかに記載の包装容器。
【請求項９】
前記底部片は、第１主面部又は第２主面部の内側面に固定するための固定片を突設された、請求項１ないし請求項８のいずれかに記載の包装容器。
【請求項１０】
前記第１主面部及び／又は第２主面部は、仕切り部又は底部片を固定するための固定片を突設された、請求項１ないし請求項９のいずれかに記載の包装容器。
【請求項１１】
前記第１主面部及び／又は第２主面部は、被包装物品を収容部から取り出すための切り離し部を形成された、請求項１ないし請求項１０のいずれかに記載の包装容器。
【請求項１２】
第１主面部及び／又は第２主面部は、収容部に収容された被包装物品を見るための窓部を形成された、請求項１ないし請求項１１のいずれかに記載の包装容器。
【請求項１３】
第１主面部と、前記第１主面部に隣接して連設された第２主面部と、前記第１主面部及び／又は第２主面部に隣接して連設された仕切り部と、前記仕切り部に連設された底部片とを有する原シートを、包装容器を形成するために、第１主面部、第２主面部、仕切り部及び底部片の外形に沿って成形するステップと、
前記第１主面部と第２主面部とを対向させて筒状に成形して、第１主面部と第２主面部との間に被包装物品を収容するための収容部を形成するステップと、
前記収容部の中に、仕切り部を第１主面部及び第２主面部に対向するように位置させて、第１主面部側の第１空間部と第２主面部側の第２空間部とを形成するステップと、
前記第１主面部と第２主面部とによって形成される底部を被包装物品の形状に沿って外方に膨らませて、被包装物品の脱落を防ぐための物品挿入孔に被包装物品を挿入できる空間を形成するステップと、
被包装物品を第１主面部と第２主面部との間の収容部に挿入した後に、第１主面部と第２主面部との間に底部片を架け渡して、収容部を閉塞するステップと、を含む、包装容器の製法。
【請求項１４】
第１主面部と、前記第１主面部に隣接して連設された第２主面部と、前記第１主面部及び／又は第２主面部に隣接して連設された仕切り部と、前記仕切り部に連設された底部片とを有する原シートを、包装容器を形成するために、第１主面部、第２主面部、仕切り部及び底部片の外形に沿って成形するステップと、
前記第１主面部と第２主面部とを対向させて筒状に成形して、第１主面部と第２主面部との間に被包装物品を収容するための収容部を形成するステップと、
前記収容部の中に、仕切り部を第１主面部及び第２主面部に対向するように位置させて、第１主面部側の第１空間部と第２主面部側の第２空間部とを形成するステップと、
前記第１主面部と第２主面部との間の底部を被包装物品の形状に沿って外方に膨らませるステップと、
底部片の側からのびる仕切り部の保持部を、被包装物品の側胴部を保持するように、第１主面部と第２主面部との間に間隔をあけて収容部の中に向けて変移させて、収容部において被包装物品に沿ってのばすステップと、を含む、包装容器の製法。
【請求項１５】
底部片は、第１主面部及び／又は第２主面部に対向する第１底部辺と第２底部辺とを備え、
該第１底部辺又は第２底部辺は、一方の端部及び／又は他方の端部と中央部との間には段差部を形成され、
仕切り部は、底部片の段差部から仕切り部の長手方向にのびる保持部を形成され、
該保持部を左右に分割させ且つ第１主面部と第２主面部との間の間隔をあけて収容部の中に向けて変移させて、収容部において被包装物品に沿ってのばす、請求項１３又は請求項１４に記載の包装容器の製法。
【請求項１６】
第１主面部と第２主面部とは、折り目線を介して連設され、
仕切り部は、前記第１主面部又は第２主面部と折り目線を介して連設され、
第１主面部と第２主面部とを折り目線において折り曲げて対向させ、
仕切り部を、折り目線において折り曲げて第１主面部の内側面及び第２主面部の内側面と対向させ、
第１主面部と第２主面部との間の収容部にのびて、収容部に収容された被包装物品の側縁部を保持させる、請求項１３ないし請求項１５のいずれかに記載の包装容器の製法。
【請求項１７】
仕切り部は、折り目線を介して底部片を連設され、
底部片は、第１主面部と第２主面部とに対向する第１底部辺と第２底部辺とを備え、
前記折り目線は、前記第１底部辺を構成し、前記折り目線とは反対側の端縁は、前記第２底部辺を構成し、
前記折り目線において上方向に向けて底部片を折り曲げ、前記第２底部辺を第２主面部と対向させて、該底部片を第１主面部の内側面と第２主面部の内側面との間に架け渡す、請求項１３ないし請求項１６のいずれかに記載の包装容器の製法。
【請求項１８】
第１主面部又は第２主面部の内側面に固定するための固定片を突設された底部片を、第１主面部及び第２主面部の間に架設させ、且つ、固定片を第１主面部及び／又は第２主面部の内側面に接し合わせ固定する、請求項１３ないし請求項１７のいずれかに記載の包装容器の製法。
【請求項１９】
第１主面部及び／又は第２主面部は、仕切り部又は底部片に固定するための固定片を突設され、
前記第１主面部及び／又は第２主面部の固定片を、仕切り部又は底部片に対向させ、且つ、仕切り部又は底部片に係止又は接し合わせて固定する、請求項１３ないし請求項１８のいずれかに記載の包装容器の製法。
【発明の詳細な説明】
【技術分野】
【０００１】
この発明は、包装容器及びその製法に関し、特に、例えば、化粧品、衣料品又は文具等等の各種物品を包装する偏平形包装容器等の包装容器及びその製法に関する。
【背景技術】
【０００２】
従来、化粧品、医薬部外品、文具等の各種物品が、台紙の表面に保持された物品保持体が知られている。かかる物品保持体の代表的なものとしては、ブリスターパックが挙げられる。
ブリスターパックは、一般に、台紙と、透明な合成樹脂製シートを成形した収納部材と、を有する。収納部材は、その一部分に物品収納用の収納凸部が形成され、且つその収納凸部の端縁からフランジ部が延設されている。その収納凸部に物品を入れた状態で、前記収納部材のフランジ部を前記台紙の表面に接着することにより、ブリスターパックが構成される（特許文献１）。
【０００３】
ブリスターパックは、通常、ハンガー棒に吊り下げられて陳列販売される。しかしながら、載置面に自立させて陳列させたい場合もある。ここで自立とは、ブリスターパックに収納された物品が購入者等から見やすいように、載置面に対して台紙が直交して、ブリスターパックを載置面に立てて置くことである。
特許文献１のように、台紙の表面の略中央部に収納部材が取り付けられたブリスターパックは、自立させることはできない。
例えば、特許文献２の収納部分（シート成形品からなる）の下部を下方に突出させた包装容器は、前記収納部分の下部を載置面に載せることによって自立させることができる。
【０００４】
一方、紙シート材でピロー形に組み立てた包装容器がある（特許文献３）。
特許文献３の包装容器は、折目を介して２つの主板を連設し、これら各主板の長手方向側の両端部にはそれぞれ円弧状の折目を介してフラップを連設すると共に、一方の主板の幅方向側の端部には上記折目と平行な折目を介して接続片を連設したものである。
【先行技術文献】
【特許文献】
【０００５】
【特許文献１】特開２０１１−３１９６７号公報
【特許文献２】特開２０１１−８４２９６号公報
【特許文献３】特開２００３−２５２３２３号公報
【発明の概要】
【発明が解決しようとする課題】
【０００６】
特許文献１のブリスターパックは、嵩張るために、保管等に広いスペースを必要とする。
特許文献２の包装容器は、吊り下げたり自立させたりしたとき、収容された物品が、倒れたりする等、物品が変移し易い。
特許文献３の包装容器は、運ぶ途中に収容された物品が収容部内で移動し易いために、陳列販売に適さない。
【０００７】
この発明の主たる目的は、保管スペースを比較的必要としないシート体によって容易に組み立てることができ、収容された物品の姿勢の保持性も高く、吊り下げ及び自立にも適する、収納容器及びその製法を提供することである。
【課題を解決するための手段】
【０００８】
この発明の請求項１にかかる包装容器は、上下方向にのびる長手方向を有する第１主面部と、前記第１主面部に連設された、上下方向にのびる長手方向を有する第２主面部とを有する包装容器であって、筒状に形成された前記第１主面部と第２主面部との間の被包装物品を収容する収容部の中に、第１主面部側の第１空間部と第２主面部側の第２空間部とに分ける仕切り部を設けられ、前記仕切り部は、被包装物品の脱落を防ぐための被包装物品を装填する物品挿入孔を形成され、第１主面部と第２主面部との間の底部は、被包装物品の形状に沿って外方に向けて膨らみ、第１主面部の内面と第２主面部の内面とに、仕切り部に連設された底部片を架け渡されて、収容部を塞いでいる、包装容器である。
この発明の請求項２にかかる包装容器は、上下方向にのびる長手方向を有する第１主面部と、前記第１主面部に連設された、上下方向にのびる長手方向を有する第２主面部とを有する包装容器であって、筒状に形成された前記第１主面部と第２主面部との間の被包装物品を収容する収容部の中に、第１主面部側の第１空間部と第２主面部側の第２空間部とに分ける仕切り部を設けられ、前記仕切り部は、下端に突設された底部片を備え、底部片の一方の端部及び／又は他方の端部と中央部との間には段差部を形成され、該段差部から仕切り部の長さ方向にのびる保持部を形成され、該保持部は、第１主面部と第２主面部との間の間隔をあけて収容部の中に向けて変移され、被包装物品の側胴部を保持するように、収容部内において被包装物品に沿ってのびる、包装容器である。
この発明の請求項３にかかる包装容器は、第１主面部と第２主面部とは隣接して、隣接する境目辺において連設され、仕切り部は、前記第１主面部又は第２主面部と隣接して、隣接する境目辺において連設され、該隣接する境目辺から第１主面部と第２主面部との間の収容部にのびて、収容部に収容された被包装物品の側胴部を保持するように形成された、請求項１又は請求項２に記載の包装容器である。
この発明の請求項４にかかる包装容器においては、仕切り部は、被包装物品の形状に沿って外方に向けて膨らむ第１主面部と第２主面部との内側面の形状及び／又は被包装物品の形状に対応した形状の折り目線を境として、底部片を連設され、前記底部片は、前記折り目線とは反対側の底部辺が第１主面部と第２主面部との内側面の形状に対応した形状であって、該折り目線において第１主面部及び第２主面部と交差する方向に向けて折り曲げられて、第１主面部の内側面と第２主面部の内側面との間に架け渡された、請求項１ないし請求項３のいずれかに記載の包装容器である。
この発明の請求項５にかかる包装容器においては、仕切り部は、長手方向にのびる物品挿入孔を形成されて少なくとも一部分が左右に分割され、該物品挿入孔の孔縁の近傍に保持部を形成され、前記保持部は、物品挿入孔に装填された被包装物品の側胴部に接し合うように形成された、請求項１ないし請求項４のいずれかに記載の包装容器である。
この発明の請求項６にかかる包装容器においては、仕切り部は、折り目線を介して底部片を連設され、底部片は、第１主面部と第２主面部とに対向する第１底部辺と第２底部辺とを備え、前記折り目線は、前記第１底部辺を構成し、前記折り目線とは反対側の端縁は、前記第２底部辺を構成し、前記折り目線において上方向に向けて底部片を折り曲げ、前記第２底部辺を第２主面部と対向させて、該底部片を第１主面部の内側面と第２主面部の内側面との間に架け渡された、請求項１ないし請求項５のいずれかに記載の包装容器である。
この発明の請求項７にかかる包装容器においては、底部片は、第１主面部及び／又は第２主面部に対向する第１底部辺と第２底部辺とを備え、該第１底部辺又は第２底部辺は、一方の端部及び／又は他方の端部と中央部との間には段差部を形成され、仕切り部は、底部片の段差部から仕切り部の長手方向にのびる保持部を形成され、該保持部は、左右に分割され且つ第１主面部と第２主面部との間の間隔をあけて収容部の中に向けて変移されて、収容部において被包装物品に沿ってのばされた、請求項１ないし請求項６のいずれかに記載の包装容器である。
この発明の請求項８にかかる包装容器においては、物品挿入孔は、収容部に収容される被包装物品の外形よりわずかに小さな孔であって、孔縁の近傍に形成された保持部が被包装物品に弾接されるように構成された、請求項１ないし請求項７のいずれかに記載の包装容器である。
この発明の請求項９にかかる包装容器においては、前記底部片は、第１主面部又は第２主面部の内側面に固定するための固定片を突設された、請求項１ないし請求項８のいずれかに記載の包装容器である。
この発明の請求項１０にかかる包装容器においては、前記第１主面部及び／又は第２主面部は、仕切り部又は底部片を固定するための固定片を突設された、請求項１ないし請求項９のいずれかに記載の包装容器である。
この発明の請求項１１にかかる包装容器においては、前記第１主面部及び／又は第２主面部は、被包装物品を収容部から取り出すための切り離し部を形成された、請求項１ないし請求項１０のいずれかに記載の包装容器である。
この発明の請求項１２にかかる包装容器においては、第１主面部及び／又は第２主面部は、収容部に収容された被包装物品を見るための窓部を形成された、請求項１ないし請求項１１のいずれかに記載の包装容器である。
この発明の請求項１３にかかる包装容器の製法は、第１主面部と、前記第１主面部に隣接して連設された第２主面部と、前記第１主面部及び／又は第２主面部に隣接して連設された仕切り部と、前記仕切り部に連設された底部片とを有する原シートを、包装容器を形成するために、第１主面部、第２主面部、仕切り部及び底部片の外形に沿って成形するステップと、前記第１主面部と第２主面部とを対向させて筒状に成形して、第１主面部と第２主面部との間に被包装物品を収容するための収容部を形成するステップと、前記収容部の中に、仕切り部を第１主面部及び第２主面部に対向するように位置させて、第１主面部側の第１空間部と第２主面部側の第２空間部とを形成するステップと、前記第１主面部と第２主面部とによって形成される底部を被包装物品の形状に沿って外方に膨らませて、被包装物品の脱落を防ぐための物品挿入孔に被包装物品を挿入できる空間を形成するステップと、被包装物品を第１主面部と第２主面部との間の収容部に挿入した後に、第１主面部と第２主面部との間に底部片を架け渡して、収容部を閉塞するステップと、を含む、包装容器の製法である。
この発明の請求項１４にかかる包装容器の製法は、第１主面部と、前記第１主面部に隣接して連設された第２主面部と、前記第１主面部及び／又は第２主面部に隣接して連設された仕切り部と、前記仕切り部に連設された底部片とを有する原シートを、包装容器を形成するために、第１主面部、第２主面部、仕切り部及び底部片の外形に沿って成形するステップと、前記第１主面部と第２主面部とを対向させて筒状に成形して、第１主面部と第２主面部との間に被包装物品を収容するための収容部を形成するステップと、前記収容部の中に、仕切り部を第１主面部及び第２主面部に対向するように位置させて、第１主面部側の第１空間部と第２主面部側の第２空間部とを形成するステップと、前記第１主面部と第２主面部との間の底部を被包装物品の形状に沿って外方に膨らませるステップと、底部片の側からのびる仕切り部の保持部を、被包装物品の側胴部を保持するように、第１主面部と第２主面部との間に間隔をあけて収容部の中に向けて変移させて、収容部において被包装物品に沿ってのばすステップと、を含む、包装容器の製法である。
この発明の請求項１５にかかる包装容器の製法においては、底部片は、第１主面部及び／又は第２主面部に対向する第１底部辺と第２底部辺とを備え、該第１底部辺又は第２底部辺は、一方の端部及び／又は他方の端部と中央部との間には段差部を形成され、仕切り部は、底部片の段差部から仕切り部の長手方向にのびる保持部を形成され、該保持部を左右に分割させ且つ第１主面部と第２主面部との間の間隔をあけて収容部の中に向けて変移させて、収容部において被包装物品に沿ってのばす、請求項１３又は請求項１４に記載の包装容器の製法である。
この発明の請求項１６にかかる包装容器の製法は、第１主面部と第２主面部とは、折り目線を介して連設され、仕切り部は、前記第１主面部又は第２主面部と折り目線を介して連設され、第１主面部と第２主面部とを折り目線において折り曲げて対向させ、仕切り部を、折り目線において折り曲げて第１主面部の内側面及び第２主面部の内側面と対向させ、第１主面部と第２主面部との間の収容部にのびて、収容部に収容された被包装物品の側縁部を保持させる、請求項１３ないし請求項１５のいずれかに記載の包装容器の製法である。
この発明の請求項１７にかかる包装容器の製法においては、仕切り部は、折り目線を介して底部片を連設され、底部片は、第１主面部と第２主面部とに対向する第１底部辺と第２底部辺とを備え、前記折り目線は、前記第１底部辺を構成し、前記折り目線とは反対側の端縁は、前記第２底部辺を構成し、前記折り目線において上方向に向けて底部片を折り曲げ、前記第２底部辺を第２主面部と対向させて、該底部片を第１主面部の内側面と第２主面部の内側面との間に架け渡す、請求項１３ないし請求項１６のいずれかに記載の包装容器の製法である。
この発明の請求項１８にかかる包装容器の製法は、第１主面部又は第２主面部の内側面に固定するための固定片を突設された底部片を、第１主面部及び第２主面部の間に架設させ、且つ、固定片を第１主面部及び／又は第２主面部の内側面に接し合わせ固定する、請求項１３ないし請求項１７のいずれかに記載の包装容器の製法である。
この発明の請求項１９にかかる包装容器の製法においては、第１主面部及び／又は第２主面部は、仕切り部又は底部片に固定するための固定片を突設され、前記第１主面部及び／又は第２主面部の固定片を、仕切り部又は底部片に対向させ、且つ、仕切り部又は底部片に係止又は接し合わせて固定する、請求項１３ないし請求項１８のいずれかに記載の包装容器の製法である。
【発明の効果】
【０００９】
請求項１の発明によれば、上下方向にのびる長手方向を有する第１主面部と、前記第１主面部に連設された、上下方向にのびる長手方向を有する第２主面部とを有する包装容器であって、筒状に形成された前記第１主面部と第２主面部との間の被包装物品を収容する収容部の中に、第１主面部側の第１空間部と第２主面部側の第２空間部とに分ける仕切り部を設けられ、前記仕切り部は、被包装物品の脱落を防ぐための被包装物品を装填する物品挿入孔を形成され、第１主面部と第２主面部との間の底部は、被包装物品の形状に沿って外方に向けて膨らみ、第１主面部の内面と第２主面部の内面とに、仕切り部に連設された底部片を架け渡されて、収容部を塞いでいるので、保管スペースを比較的必要としないシート体によって容易に組み立てることができ、収容された物品の姿勢の保持性も高く、吊り下げ及び自立にも適する、収納容器を得ることができる。
請求項２の発明によれば、上下方向にのびる長手方向を有する第１主面部と、前記第１主面部に連設された、上下方向にのびる長手方向を有する第２主面部とを有する包装容器であって、筒状に形成された前記第１主面部と第２主面部との間の被包装物品を収容する収容部の中に、第１主面部側の第１空間部と第２主面部側の第２空間部とに分ける仕切り部を設けられ、前記仕切り部は、下端に突設された底部片を備え、底部片の一方の端部及び／又は他方の端部と中央部との間には段差部を形成され、該段差部から仕切り部の長さ方向にのびる保持部を形成され、該保持部は、第１主面部と第２主面部との間の間隔をあけて収容部の中に向けて変移され、被包装物品の側胴部を保持するように、収容部内において被包装物品に沿ってのびるので、保管スペースを比較的必要としないシート体によって容易に組み立てることができ、収容された物品の姿勢の保持性も高く、吊り下げ及び自立にも適する、収納容器を得ることができる。
請求項１３の発明によれば、第１主面部と、前記第１主面部に隣接して連設された第２主面部と、前記第１主面部及び／又は第２主面部に隣接して連設された仕切り部と、前記仕切り部に連設された底部片とを有する原シートを、包装容器を形成するために、第１主面部、第２主面部、仕切り部及び底部片の外形に沿って成形するステップと、前記第１主面部と第２主面部とを対向させて筒状に成形して、第１主面部と第２主面部との間に被包装物品を収容するための収容部を形成するステップと、前記収容部の中に、仕切り部を第１主面部及び第２主面部に対向するように位置させて、第１主面部側の第１空間部と第２主面部側の第２空間部とを形成するステップと、前記第１主面部と第２主面部とによって形成される底部を被包装物品の形状に沿って外方に膨らませて、被包装物品の脱落を防ぐための物品挿入孔に被包装物品を挿入できる空間を形成するステップと、被包装物品を第１主面部と第２主面部との間の収容部に挿入した後に、第１主面部と第２主面部との間に底部片を架け渡して、収容部を閉塞するステップと、を含むので、保管スペースを比較的必要としないシート体によって容易に組み立てることができ、収容された物品の姿勢の保持性も高く、吊り下げ及び自立にも適する、収納容器の製法を提供することができる。
請求項１４の発明によれば、第１主面部と、前記第１主面部に隣接して連設された第２主面部と、前記第１主面部及び／又は第２主面部に隣接して連設された仕切り部と、前記仕切り部に連設された底部片とを有する原シートを、包装容器を形成するために、第１主面部、第２主面部、仕切り部及び底部片の外形に沿って成形するステップと、前記第１主面部と第２主面部とを対向させて筒状に成形して、第１主面部と第２主面部との間に被包装物品を収容するための収容部を形成するステップと、前記収容部の中に、仕切り部を第１主面部及び第２主面部に対向するように位置させて、第１主面部側の第１空間部と第２主面部側の第２空間部とを形成するステップと、前記第１主面部と第２主面部との間の底部を被包装物品の形状に沿って外方に膨らませるステップと、底部片の側からのびる仕切り部の保持部を、被包装物品の側胴部を保持するように、第１主面部と第２主面部との間に間隔をあけて収容部の中に向けて変移させて、収容部において被包装物品に沿ってのばすステップと、を含むので、保管スペースを比較的必要としないシート体によって容易に組み立てることができ、収容された物品の姿勢の保持性も高く、吊り下げ及び自立にも適する、収納容器の製法を提供することができる。
【００１０】
この発明の上述の目的、その他の目的、特徴及び利点は、図面を参照して行う以下の発明を実施するための形態の説明から一層明らかとなろう。
【図面の簡単な説明】
【００１１】
【図１】本発明の第一の実施の形態に係る包装容器の斜視図解図である。
【図２】図１の包装容器の外側を示す展開図である。
【図３】図１の包装容器の正面図解図である。
【図４】図１の包装容器の背面図解図である。
【図５】図４のＡ−Ａ線断面図解図である。
【図６】図４のＢ−Ｂ線断面図解図である。
【図７】図２の原シートによる包装容器の組み立て途中の正面図解図である。
【図８】図２の原シートによる包装容器の組み立て方を示す、包装容器の内側の斜視図解図である。
【図９】図２の原シートによる包装容器の組み立て方を示す斜視図解図である。
【図１０】図２の原シートによる包装容器の組み立て方を示す斜視図解図である。
【図１１】図２の原シートによる包装容器の組み立て方を示す斜視図解図である。
【図１２】図２の原シートによる包装容器の組み立て方を示す斜視図解図である。
【図１３】本発明の第二の実施の形態に係る包装容器の斜視図解図である。
【図１４】図１３の包装容器の展開図である。
【図１５】図１３の包装容器の正面図解図である。
【図１６】図１３の包装容器の背面図解図である。
【図１７】図１６のＡ−Ａ線断面図解図である。
【図１８】図１６のＢ−Ｂ線断面図解図である。
【図１９】図１３の原シートによる包装容器の組み立て途中の正面図解図である。
【図２０】本発明の第三の実施の形態に係る包装容器の展開図である。
【図２１】図２０の包装容器の正面図解図である。
【図２２】図２０の包装容器の背面図解図である。
【図２３】図２１のＡ−Ａ線断面図である。
【図２４】図２１のＢ−Ｂ線断面図である。
【図２５】図２０の原シートによる包装容器の組み立て途中の正面図解図である。
【図２６】本発明の第四の実施の形態に係る包装容器の斜視図解図である。
【図２７】図２６の包装容器の展開図である。
【図２８】包装容器の説明図である。
【発明を実施するための形態】
【００１２】
図１は本発明の第一の実施の形態に係る包装容器の斜視図解図であり、図２は図１の包装容器の展開図である。
以下の説明において、「折り目線」とはシート材に折り曲げ加工が施された又は施される線であり、「片」とは前述した折り曲げ線又は端縁で区画することができるシート材の単位であり、「端縁」とはシート材に切断加工が施された外縁の一部である。
また、上下左右は、図２８において示すように、本発明の実施の形態に係る包装容器を載置面に自立させた状態又は吊り下げ手段に吊り下げた状態でみた位置関係を示している。
【００１３】
本発明の第一の実施の形態に係る包装容器１０は、ハンガー棒等の吊り下げ手段に吊り下げられて陳列販売されるとともに、載置面に自立させて陳列させることができる陳列販売用容器であって、吊り下げ手段に吊り下げたときに購入者等から見える表面部と、表面部とは反対側であって裏側の背面部と、吊り下げ手段に吊り下げられる上部の吊り下げ部と、載置面に接する下部の底面とを備える。
【００１４】
本発明の第一の実施の形態に係る包装容器１０は、シート材を折り曲げ加工して筒状に形成される包装容器であって、長手方向を有する正面視略長方形の第１主面部１２と、第１主面部１２と対向する長手方向を有する正面視略長方形の第２主面部１４と、第１主面部１２と第２主面部１４との間に介在する仕切り部１６とを備えている。
この実施の形態にかかる包装容器１０は、第１主面部１２が表面部を構成し、第２主面部１４が背面部を構成する。
ここで用いられるシート材は、ポリプロピレン（ＰＰ）、ポリエチレンテレフタレート（ＰＥＴ）等の合成樹脂（プラスチック）シート、紙または厚紙、再生紙等の紙シート、またはそれらを組み合わせた複合材料等、折り曲げ加工が可能なものであればどのような材質であっても良い。
この包装容器で包装される被包装物品Ｇは、化粧品、衣料品、文具等の各種商品に設定することができる。
【００１５】
第１主面部１２と第２主面部１４とによって構成される容器本体１８は、全体が上部から下部に至るに従って拡がる筒状体であって、上部が偏平で、下部が偏平円筒状に形成されている。
容器本体１８の上部は、第１主面部１２と第２主面部１４とが密着されて一文字状に閉塞され、その下部に収容部２０を形成されている。
容器本体１８は、上部に、収容部２０内の被包装物品Ｇを取り出すための開口部２２を形成されている。
開口部２２は、第１主面部１２と第２主面部１４とを密着させた接合領域のやや下方に設けられた切り離し部２６を切り取ることにより、開口するように構成されている。
容器本体１８は、下部に、載置面に自立するための平面視略卵形ないしは円弧状面と円弧状面とを両側面とするレンズ形の底部２４を形成されている。
【００１６】
底部２４を構成する第１主面部１２と第２主面部１４との間は、被包装物品Ｇの形状に沿って外方に向けて膨らみ、第１主面部１２の内面と第２主面部１４の内面とに、仕切り部１６に連設された底部片２８を架け渡されて、容器本体１８の収容部２０を塞いでいる
【００１７】
仕切り部１６は、筒状に形成された前記第１主面部１２と第２主面部１４との間の被包装物品Ｇを収容する収容部２０の中に設けられており、収容部２０を第１主面部１２側の第１空間部３０ａと第２主面部１４側の第２空間部３０ｂとに分ける。
【００１８】
第１主面部１２と第２主面部１４とは、容器本体１８の幅方向における一端部（表面部から視て右側端部）と他端部（表面部から視て左側端部）とにおいて隣接して連設されている。第１主面部１２と第２主面部１４とは、第１境目辺３２を境として隣接されており、第１境目辺３２は折り目線４０ａをもって形成されている。
【００１９】
仕切り部１６は、前記第１主面部１２又は第２主面部１４と、容器本体１８の幅方向における一端部（表面部から視て右側端部）と他端部（表面部から視て左側端部）とにおいて隣接している。仕切り部１６と第２主面部１４とは、第２境目辺３４を境として隣接されており、第２境目辺３４は、折り目線４０ｂをもって形成されている。
仕切り部１６は、第１主面部１２と第２主面部１４とによって囲繞されて形成される収容部２０内に収まるように、第１主面部１２及び第２主面部１４より小さく、上辺は、開口部２２より下方に位置する。すなわち、仕切り部１６の上辺は、第１境目辺３２及び第２境目辺３４と直交する直線状であり、切り離し部２６と平行にのびており、切り離し部２６より下方に位置している（図２参照）。
仕切り部１６は、該隣接する第２境目辺３４から第１主面部１２と第２主面部１４との間の収容部２０にのびて、収容部２０に収容された被包装物品Ｇの側胴部を保持するように形成されている。
被包装物品Ｇは、断面及び底面が楕円の楕円筒状胴部を備えた容器であり、円弧状の第１主面部１２と円弧状の第２主面部１４との間において、最も外側に膨出した母線部位の間に短軸が位置し、且つ、第１主面部１２と第２主面部１４との境界（第１境目辺３２及び第２境目辺３４）の間に長軸が位置するように、包装容器１０の収容部２０内に収容される。
ここに言う母線とは、楕円柱等のように、母線の移動によって曲面が描かれるときに、その曲面における、その各位置における直線をいう。
【００２０】
第１主面部１２は、第１境目辺３２と第２境目辺３４とに囲繞され、第１境目辺３２と第２境目辺３４とが平行で、底部２４を構成する下辺が第１境目辺３２及び第２境目辺３４と直交する。
第２主面部１４は、第２境目辺３４と、第２境目辺３４とは反対側に、直線状の長手端縁を備え、第２境目辺３４と該長手端縁とが平行で、底部２４を構成する下辺が第２境目辺３４及び該長手端縁と直交する。
仕切り部１６は、第１境目辺３２と、第１境目辺３２とは反対側において上下方向にのびる、直線状の長手端縁とを備え、第１境目辺３２と該長手端縁とが平行である。
【００２１】
仕切り部１６は、折り目線４０ｃ及び折り目線４０ｄを境として、底部片２８を連設されている。折り目線４０ｃ及び折り目線４０ｄは、被包装物品Ｇの形状に沿って、左右方向と交差する手前側と向こう側との方向において外方に向けて膨らむ第１主面部１２の内側面と第２主面部１４の内側面の形状に対応した形状である。
【００２２】
底部片２８は、第１主面部１２の内側面と第２主面部１４の内側面との間に架設されたとき第２主面部１４に対向する第１底部辺４２と、第１主面部１２の内側面と第２主面部１４の内側面との間に架設されたとき第１主面部１２に対向する第２底部辺４４とを備えている。
前記折り目線４０ｃ及び折り目線４０ｄは、前記第１底部辺４２の一部を構成し、前記折り目線４０ｃ及び折り目線４０ｄとは反対側の端縁は、前記第２底部辺４４を構成している。
第１底部辺４２は、第１底部辺４２の左右方向における中央領域に中央部４６を備える。中央部４６は、第１主面部１２と第２主面部１４とによって形成される楕円形の中心Ｏ1を通る短軸と交わる点ないしは母線の近傍の円弧状面部を備える。
更に、第１底部辺４２は、該中央部４６の両端から、該第１底部辺４２の中央部４６より左右方向にのびる段差部を備える。段差部は、第１主面部１２と第２主面部１４とによって形成される楕円形の長径と交わる左右両端の点に向けてのび、中央部４６から落ち込む段状になっている。すなわち、段差部は、容器本体１８の右側端部と左側端部とに向けてのび、中央部４６の近傍では第２主面部１４の内側面より離れ、第２主面部１４から離れるに従って徐々に第２主面部１４の内側面に近づく。
段差部は、表面部から視て左側の第１境目辺３２側の第１段差部６０と、第１境目辺３２とは反対側の表面部から視て右側の第２段差部６２とを備える。第１段差部６０は折り目線４０ｃにより構成され、第２段差部６２は折り目線４０ｄにより構成されている。
前記底部片２８は、前記折り目線４０ｃ及び折り目線４０ｄとは反対側の第２底部辺４４が第１主面部１２の内側面の形状に対応した形状であって、第１底部辺４２が第２主面部１４の内側面の形状に対応した形状である。
中央部４６と折り目線４０ｃとの間及び中央部４６と折り目線４０ｄとの間には、折り目線４０ｃ及び折り目線４０ｄを折り曲げ易くするための凹部４０ｅが形成されている。
【００２３】
底部片２８は、折り目線４０ｃ及び折り目線４０ｄにおいて第１主面部１２及び第２主面部１４により形成される筒状体の内側面と交差する方向に向けて折り曲げられて、第１主面部１２の内側面と第２主面部１４の内側面との間に架け渡されている。
底部片２８は、前記折り目線４０ｃ及び折り目線４０ｄにおいて、第２底部辺４４を上方向に向けて折り曲げられ、前記第２底部辺４４を第１主面部１２と対向させて密接させ、該底部片２８を第１主面部１２の内側面に固定されることによって、第２主面部１４の内側面との間に架け渡されている。
【００２４】
仕切り部１６は、長手方向にのびる物品挿入孔５０を形成されて少なくとも一部分が左右に分割され、該物品挿入孔５０の孔縁の近傍に第１保持部５２及び第２保持部５４を形成されている。左右に分かれた前記第１保持部５２と第２保持部５４とは、物品挿入孔５０に装填された被包装物品Ｇの側胴部に左右の両側より接し合うように形成されている。
【００２５】
底部片２８は、第１底部辺４２の一方の端部（表面部から視て左側で第１境目辺３２側）と中央部４６との間に第１段差部６０を形成され、又、他方の端部（表面部から視て右側で第１境目辺３２とは反対側）と中央部４６との間には第２段差部６２を形成されている。
仕切り部１６は、該第１段差部６０から仕切り部１６の長さ方向にのびる第１保持部５２を連設され、且つ第２段差部６２から第２保持部５４を連設されている。
第１段差部６０は、第１底部辺４２の中央部４６より、第１主面部１２と第２主面部１４とにより形成される楕円形の中心Ｏ1を通る長軸側に下がり、折り目線４０ａ（第１境目辺３２）までのびる円弧状である。
第２段差部６２は、第１底部辺４２の中央部４６より、第１主面部１２と第２主面部１４とにより形成される楕円形の中心Ｏ1を通る長軸側に下がり、折り目線４０ａ（第１境目辺３２）とは反対側の先端部にのびる円弧状である。
第１底部辺４２の中央部４６は、第２主面部１４の内側と密接するように、第２主面部１４の内側面に対応する円弧状縁を形成されている。
【００２６】
第１段差部６０及び第２段差部６２は、第２主面部１４の内側面と接する中央部４６より低く形成され、第１段差部６０に続く第１保持部５２及び第２段差部６２に続く第２保持部５４は、第２主面部１４の内側面から離れる。
第１段差部６０は、第１主面部１２の下辺より上部において、第１境目辺３２と接する。
第２段差部６２は、第１段差部６０と同じ高さにて、第１境目辺３２とは反対側の長手端縁と接する。
前記第１保持部５２及び第２保持部５４は、第１主面部１２と第２主面部１４との間に間隔をあけて、収容部２０の中に向けて折り目線４０ｃ及び折り目線４０ｄの折り曲げに対応して変移され、被包装物品Ｇの側胴部を保持するように、収容部２０内において被包装物品Ｇに沿ってのびる。
【００２７】
物品挿入孔５０は、収容部２０に収容される被包装物品Ｇの外形よりわずかに小さな孔であって、孔縁の近傍に形成された第１保持部５２及び第２保持部５４が被包装物品Ｇに弾接されるように構成されている。
第１段差部６０からのびる第１保持部５２及び第２段差部６２からのびる第２保持部５４は、第２主面部１４の内側面と密接する第１底部辺４２の中央部４６より低く形成されているので、被包装物品Ｇの第２主面部１４の内側面に接する部位より低い側胴部に弾接する。
【００２８】
前記底部片２８は、第１主面部１２又は第２主面部１４の内側面に固定するための第１固定片７０を、第２底部辺４４の左右方向の中央の近傍において第２底部辺４４より突設されている。第１固定片７０は、底部片２８の下縁部から下方に向けて折り目線７４ａを介して突設された舌状片である。
底部片２８は、第２底部辺４４が第１固定片７０を突設された領域の折り目線７４ａと、折り目線７４ａの両方にのびる端縁とにより構成されている。
第１固定片７０は、底部片２８との境界の折り目線７４ａにより折り曲げられる。
第１固定片７０は、後述する第２固定片７６の係止部７８を係止するための係止細孔７２を穿設されている。係止細孔７２は、第２底部辺４４との境界の折り目線７４ａに形成されている。
【００２９】
前記第１主面部１２及び／又は第２主面部１４は、仕切り部１６又は底部片２８を固定するための第２固定片７６を突設されている。第２固定片７６は、第１主面部１２の下縁部から下方に向けて折り目線７４ｂを介して突設された舌状片である。第２固定片７６は、第１主面部１２との境界の折り目線７４ｂにより折り曲げられる。
第２固定片７６は、第１固定片７０に係止するための係止部７８を有している。
【００３０】
底部片２８は、第１底部辺４２を第２主面部１４の内側面に密に接し合わされ、第２底部辺４４を第１主面部１２の内側面に密に接し合わされる。
第１固定片７０は、底部片２８の第２底部辺４４に折り目線７４ａを介して突設されており、該第１固定片７０は、折り目線７４ａにて折り曲げられて下方に垂れ下げられて第１主面部１２の内側面に接し合わされている。
第２固定片７６は、折り目線７４ｂを介して第１主面部１２に突設されている。該第２固定片７６は、折り目線７４ｂにて上方に向けて折り曲げられて前記第１固定片７０の内側面に重ね合わされている。
【００３１】
第１主面部１２は、正面視略縦長長方形であり、上部に正面視略台形状の第１掩蔽部８０を突設されている。
第１掩蔽部８０は、開口部２２を閉塞するために第２主面部１４の上部と固着する領域であって、その下方に第１掩蔽部８０を切り離して開口部２２を開口するための切り離し部２６を形成されている。切り離し部２６は、第１掩蔽部８０の幅方向にのびて、第１掩蔽部８０を切り離すことができるように構成されている。
第２主面部１４は、正面視略縦長長方形であり、収容部２０を形成する容器本体１８部分が第１主面部１２と対称に形成されている。
第２主面部１４は、上部に正面視略半円形状の第２掩蔽部９０を突設されている。
第２掩蔽部９０は、開口部２２を閉塞するために第１主面部１２の上部と固着する領域であって、その上方に、商品展示台の吊り棒等に吊り下げるための吊り下げ孔９２が穿設されている。
【００３２】
吊り下げ孔９２は、第２主面部１４の上部に形成され、吊り下げ手段を構成する。
第２主面部１４は、その中央に収容部２０に収容された被包装物品Ｇを見るための窓部９４を形成されている。
【００３３】
次に、本件発明にかかる包装容器の製法について説明する。
この容器の製法は、第１主面部１２と、前記第１主面部１２に隣接して連設された第２主面部１４と、前記第１主面部１２及び／又は第２主面部１４に隣接して連設された仕切り部１６と、前記仕切り部１６に連設された底部片２８とを有する原シート１００を、包装容器１０を形成するために、第１主面部１２、第２主面部１４、仕切り部１６及び底部片２８の外形に沿って成形するステップと、前記第１主面部１２と第２主面部１４とを対向させて筒状に成形して、第１主面部１２と第２主面部１４との間に被包装物品Ｇを収容するための収容部２０を形成するステップと、前記収容部２０の中に、仕切り部１６を第１主面部１２及び第２主面部１４に対向するように位置させて、第１主面部１２側の第１空間部３０ａと第２主面部１４側の第２空間部３０ｂとを形成するステップと、前記第１主面部１２と第２主面部１４とによって形成される底部２４を被包装物品Ｇの形状に沿って外方に膨らませて、被包装物品Ｇの脱落を防ぐための物品挿入孔５０に被包装物品Ｇを挿入できる空間を形成するステップと、被包装物品Ｇを第１主面部１２と第２主面部１４との間の収容部２０に挿入した後に、第１主面部１２と第２主面部１４との間に底部片２８を架け渡して、収容部２０を閉塞するステップと、を含む。
更に、この容器の製法は、前記第１主面部１２と第２主面部１４との間の底部２４を被包装物品Ｇの形状に沿って外方に膨らませるステップに続いて、底部片２８の側からのびる仕切り部１６の保持部を、被包装物品Ｇの側胴部を保持するように、第１主面部１２と第２主面部１４との間に間隔をあけて収容部２０の中に向けて変移させて、収容部２０において被包装物品Ｇに沿ってのばすステップを含む。
【００３４】
原シート１００は、紙又は原紙、再生紙等の紙シートにより構成され、第１主面部１２と、前記第１主面部１２に隣接して連設された第２主面部１４と、前記第１主面部１２及び／又は第２主面部１４に隣接して連設された仕切り部１６と、前記仕切り部１６に連設された底部片２８とを有する。
原シート１００は、包装容器１０を形成するために、第１主面部１２、第２主面部１４、仕切り部１６及び底部片２８の外形に沿って成形されている。
【００３５】
第１主面部１２は、正面視略縦長長方形であり、上部に正面視略台形状の第１掩蔽部８０を突設されている。
第１掩蔽部８０は、開口部２２を閉塞するために第２主面部１４の上部と固着する領域であって、その下方に第１掩蔽部８０を切り離して開口部２２を開口するための切り離し部２６を形成されている。切り離し部２６は、第１掩蔽部８０の幅方向にのびて、第１掩蔽部８０を切り離すことができるように構成されている。
第２主面部１４は、正面視略縦長長方形であり、収容部２０を形成する容器本体１８部分が第１主面部１２と対称に形成されている。
第２主面部１４は、上部に正面視略半円形状の第２掩蔽部９０を突設されている。
第２掩蔽部９０は、開口部２２を閉塞するために第１主面部１２の上部と固着する領域であって、その上方に、商品展示台の吊り棒等の吊り下げ手段に吊り下げるための吊り下げ孔９２が穿設されている。
【００３６】
仕切り部１６は、正面視略縦長長方形であり、その下部に底部片２８が突設されている。底部片２８の第２底部辺４４は、正面視略円弧状である。
仕切り部１６は、上部が直線状端縁であり、下部が連設された底部片２８の第２底部辺４４の正面視略円弧状端縁である。
【００３７】
底部片２８は、その下部の第２底部辺４４の左右方向の中央の近傍において、第２底部辺４４より正面視略方形状の第１固定片７０を突設されている。
底部片２８は、その下部の第２底部辺４４の端縁と第１固定片７０の端縁とが下部の外形を構成している。
第１主面部１２は、その下部に、正面視方形状の第２固定片７６を突設されている。
第１主面部１２は、その下部の端縁と第２固定片７６の端縁とが下部の外形を構成している。
【００３８】
第１主面部１２と第２主面部１４とは隣接して、隣接する第１主面部１２と第２主面部１４との境界である第１境目辺３２において連設されている。
仕切り部１６は、前記第１主面部１２と隣接して、隣接する仕切り部１６と第１主面部１２との境界である第２境目辺３４において連設されている。
第１境目辺３２は、折り目線４０ｃで構成されており、該折り目線４０ａを折曲することにより第１主面部１２の（原シート１００の外側から視て）右側縁と仕切り部１６の（原シート１００の外側から視て）左側縁を構成する。
第２境目辺３４は、折り目線４０ｄで構成されており、該折り目線４０ｂを折曲することにより第１主面部１２の（原シート１００の外側から視て）左側縁と第２主面部１４の（原シート１００の外側から視て）右側縁を構成する。
【００３９】
第１主面部１２は、第１境目辺３２において第２主面部１４を連設され、第２境目辺３４において仕切り部１６を連設されているので、第１主面部１２の領域は、その下辺の一部と第２固定片７６の周縁部及び上の第１掩蔽部８０の周縁部が、原シート１００の外形を形成する。
第２主面部１４は、第１境目辺３２において第１主面部１２に連設されているので、第２主面部１４の領域は、第１境目辺３２の反対側の側縁並びに上部の第２掩蔽部９０及び下辺の全部が、原シート１００の外形を形成する。
仕切り部１６は、第２境目辺３４において第１主面部１２に連設されているので、仕切り部１６の領域は、第２境目辺３４の反対側の側縁並びに上辺の全部及び下部の底部片２８の第２底部辺４４の一部と第１固定片７０の周縁部が、原シート１００の外形を形成する。
【００４０】
該第１底部辺４２は、一方の端部と中央部４６との間に第１段差部６０を延設され、他方の端部と中央部４６との間には第２段差部６２を延設されている。
仕切り部１６は、長手方向にのびる物品挿入孔５０を形成されて少なくとも一部分が左右に分割され、該物品挿入孔５０の孔縁の近傍に、収容部２０において被包装物品Ｇを適宜な位置に保持するための保持部を形成されている。
仕切り部１６は、底部片２８の第１段差部６０及び第２段差部６２から仕切り部１６の長手方向にのびる第１保持部５２及び第２保持部５４を形成されている。第１保持部５２及び第２保持部５４は、第１主面部１２及び第２主面部１４並びに収容部２０の上下方向にのびる。
【００４１】
第１段差部６０と第１保持部５２及び第２段差部６２と第２保持部５４とは、原シート１００においては、平らなシート状に形成されている。
第１段差部６０は、第１保持部５２との境界に形成された折り目線４０ｃで構成され、第２段差部６２は、第１保持部５２との境界に形成された折り目線４０ｄで構成されている。
そして、原シート１００をもって包装容器１０を組み立てるとともに、折り目線４０ｃ及び折り目線４０ｄで原シート１００を折り曲げることにより、第１段差部６０及び第２段差部６２を形成される。
【００４２】
仕切り部１６は、折り目線４０ｃ及び折り目線４０ｄを介して底部片２８を連設され、底部片２８は、第１主面部１２と第２主面部１４とに対向する第１底部辺４２と第２底部辺４４とを備え、前記折り目線４０ｃ及び折り目線４０ｄは、前記第１底部辺４２を構成し、前記折り目線４０ｃ及び折り目線４０ｄとは反対側の端縁は、前記第２底部辺４４を構成している。
【００４３】
前記底部片２８は、第１主面部１２又は第２主面部１４の内側面に固定するための第１固定片７０を、第２底部辺４４の左右方向の中央の近傍において第２底部辺４４より突設されている。第１固定片７０は、底部片２８の下縁部から下方に向けて折り目線７４ａを介して突設された舌状片である。
底部片２８は、第２底部辺４４が第１固定片７０を突設された領域の折り目線７４ａと、折り目線７４ａの両方にのびる端縁とにより構成されている。第１固定片７０は、底部片２８との境界の折り目線７４ａにより折り曲げられる。第１固定片７０は、後述する第２固定片７６の係止部７８を係止するための係止細孔７２を穿設されている。係止細孔７２は、第２底部辺４４との境界の折り目線７４ａに形成されている。
【００４４】
前記第１主面部１２及び／又は第２主面部１４は、仕切り部１６又は底部片２８を固定するための第２固定片７６を突設されている。第２固定片７６は、第１主面部１２の下縁部から下方に向けて折り目線７４ｂを介して突設された舌状片である。折り目線７４ｂは、第１主面部１２の下部辺と一直線上に並んで形成されており、第１境目辺３２及び第２境目辺３４と直交する。
第２固定片７６は、第１主面部１２との境界の折り目線７４ｂにより折り曲げられる。
第２固定片７６は、第１固定片７０に係止するための、外形がＵ字形ないしはコ字形の係止部７８を有している。
第２固定片７６は、折り目線７４ｂで折り曲げられたとき、その下辺は、第１主面部１２の下部辺と一直線上に揃う。
したがって、底部２４は、均一な高さの平面形を構成する。
【００４５】
第１掩蔽部８０は、その上部の外側面に、第２掩蔽部９０に固着するための第１固着部８２を形成されている。
第１固着部８２は、長方形状であって、切り離し部２６に沿って第１掩蔽部８０の幅方向にのびる。
仕切り部１６は、原シート１００の外側から視て左側部で第１境目辺３２の近傍において、外側面に、第１境目辺３２に沿って上下方向に第２主面部１４を固着するための第２固着部５８を形成されている。
第２固着部５８は、長方形状であって、第１境目辺３２に沿って仕切り部１６の長手方向（上下方向）にのびる。
【００４６】
第１境目辺３２で原シート１００を折り曲げて、前記第１主面部１２と第２主面部１４とを対向させて筒状に成形して、第１主面部１２と第２主面部１４との間に被包装物品Ｇを収容するための収容部２０を形成する。
そのとき、前記収容部２０の中に、仕切り部１６を第１主面部１２及び第２主面部１４に対向するように位置させて、第１主面部１２側の第１空間部３０ａと第２主面部１４側の第２空間部３０ｂとを形成する。
原シート１００の第１掩蔽部８０を、切り離し部２６の上部の近傍において内側に折り曲げ、第１固着部８２を第２掩蔽部９０の内側と対向させる。
そして、第１掩蔽部８０の第１固着部８２を第２掩蔽部９０の内側に接着剤層にて固着する。
次に、第２主面部１４の内側と仕切り部１６の外側とを対向させ、仕切り部１６の外側に形成された第２固着部５８の接着剤層にて第２主面部１４と仕切り部１６とを固着する。
【００４７】
次に、前記第１主面部１２と第２主面部１４とによって形成される底部２４を被包装物品Ｇの形状に沿って、左右方向と交差する手前側と向こう側との方向において外方に膨らませて、被包装物品Ｇの脱落を防ぐための物品挿入孔５０に被包装物品Ｇを挿入できる空間を形成する。
【００４８】
次に、被包装物品Ｇを、第１主面部１２と第２主面部１４との間に底部２４から、第１主面部１２と第２主面部１４との間の収容部２０内の第１空間部３０ａに挿入させる。このとき、仕切り部１６は、第２主面部１４側に位置している。
【００４９】
第１主面部１２と第２主面部１４との間に介在する仕切り部１６は、折り目線４０ｃ及び折り目線４０ｄを介して底部片２８を連設されている。
該底部片２８は、第１主面部１２と第２主面部１４とに対向する第１底部辺４２と第２底部辺４４とを備えており、仕切り部１６と底部片２８との間の折り目線４０ｃ及び折り目線４０ｄは、前記第１底部辺４２を構成し、前記折り目線４０ｃ及び折り目線４０ｄとは反対側の端縁は、前記第２底部辺４４を構成している。
この底部片２８により第１主面部１２と第２主面部１４との間の収容部２０を塞ぐように、折り目線４０ｃ及び折り目線４０ｄにて底部片２８を折り曲げて第２主面部１４と第１底部辺４２とを突き合わせ、第１主面部１２と第２主面部１４との内側面と対向させる。
前記第１主面部１２と第２主面部１４との間の底部２４を被包装物品Ｇの形状に沿って、左右方向と交差する手前側と向こう側との方向において外方に膨らませたときに、底部片２８の側からのびる仕切り部１６の保持部を、被包装物品Ｇの側胴部を保持するように、第１主面部１２と第２主面部１４との間に間隔をあけて収容部２０の中に向けて変移させて、収容部２０において被包装物品Ｇに沿ってのばす。
すなわち、仕切り部１６は、第１段差部６０から仕切り部１６の長さ方向にのびる第１保持部５２を形成され、且つ第２段差部６２から第２保持部５４を形成されているので、折り目線４０ｃにおいて第１保持部５２を折り曲げ且つ折り目線４０ｄにおいて第２保持部５４を折り曲げて、第１段差部６０及び第２段差部６２を形成したとき、第１段差部６０及び第２段差部６２の形状に沿って第１保持部５２及び第２保持部５４が変移されて、第１保持部５２及び第２保持部５４が被包装物品Ｇの第１主面部１２の内側面と接する面より第２主面部１４側にある被包装物品Ｇの側胴部に接する。
【００５０】
第１主面部１２と第２主面部１４との間に底部片２８を架け渡して収容部２０を閉塞するために、第１固定片７０を突設された底部片２８を第１主面部１２及び第２主面部１４の間に架設させるとき、底部片２８を第１段差部６０及び第２段差部６２において第２底部辺４４側を上方に向けて折り曲げることにより、第２固定片７６の第１底部辺４２を第１主面部１２の内側面に接し合わせ固定する。底部片２８に折り目線７４ａを介して突設された第１固定片７０は、折り目線７４ａにて折り曲げて第１主面部１２の内側面に接し合わす。
次に、仕切り部１６又は底部片２８に固定するための第１主面部１２の第２固定片７６を、前記第１主面部１２側に位置する第１固定片７０の上に重ね合わせる。
そして、第２固定片７６の係止部７８を、仕切り部１６又は底部片２８の係止細孔７２に挿入して係止させて、第１固定片７０を第１主面部１２に固定する。
このようにして、原シート１００を折り曲げ加工して筒状に形成され、筒状の収容部２０内に被包装物品Ｇを収容された包装容器１０が組み上がる。
【００５１】
この発明は、前記実施の形態に限らず、この発明の思想に基づき変更できる。
次に、第二の実施の形態の包装容器について、図１３ないし図１９に基づいて説明する。
本発明の第二の実施の形態に係る包装容器１０は、シート材を折り曲げ加工して筒状に形成される包装容器であって、長手方向を有する正面視略長方形の第１主面部１２と、第１主面部１２と対向する長手方向を有する正面視略長方形の第２主面部１４と、第１主面部１２と第２主面部１４との間に介在する仕切り部１６とを備えている。
この実施の形態にかかる包装容器１０は、第１主面部１２が背面部を構成し、第２主面部１４が表面部を構成する。
【００５２】
第１主面部１２と第２主面部１４とによって構成される容器本体１８は、全体が上部から下部に至るに従って拡がる筒状体であって、上部が偏平で、下部が偏平円筒状に形成されている。
容器本体１８の上部は、第１主面部１２と第２主面部１４とが密着されて一文字状に閉塞され、その下部に収容部２０を形成されている。
容器本体１８は、上部に、収容部２０内の被包装物品Ｇを取り出すための開口部２２を形成されている。
開口部２２は、第１主面部１２と第２主面部１４とを密着させた接合領域のやや下方に設けられた切り離し部２６を切り取ることにより、開口するように構成されている。
容器本体１８は、下部に、載置面に自立するための平面視略卵形ないしは円弧状面と円弧状面とを両側面とするレンズ形の底部２４を形成されている。
【００５３】
底部２４を構成する第１主面部１２と第２主面部１４との間は、被包装物品Ｇの形状に沿って外方に向けて膨らみ、第１主面部１２の内面と第２主面部１４の内面とに、仕切り部１６に連設された底部片２８を架け渡されて、容器本体１８の収容部２０を塞いでいる
【００５４】
仕切り部１６は、筒状に形成された前記第１主面部１２と第２主面部１４との間の被包装物品Ｇを収容する収容部２０の中に設けられており、収容部２０を第１主面部１２側の第１空間部３０ａと第２主面部１４側の第２空間部３０ｂとに分ける。
【００５５】
第１主面部１２と第２主面部１４とは、容器本体１８の幅方向における一端部（表面部から視て右側端部）と他端部（表面部から視て左側端部）とにおいて隣接して連設されている。第１主面部１２と第２主面部１４とは、第２境目辺３４を境として隣接されており、第２境目辺３４は折り目線４０ｂをもって形成されている。
【００５６】
仕切り部１６は、前記第１主面部１２又は第２主面部１４と、容器本体１８の幅方向における一端部（表面部から視て左側端部）と他端部（表面部から視て右側端部）とにおいて隣接している。仕切り部１６と第２主面部１４とは、第１境目辺３２を境として隣接されており、第１境目辺３２は、折り目線４０ａをもって形成されている。
仕切り部１６は、第１主面部１２と第２主面部１４とによって囲繞されて形成される収容部２０内に収まるように、第１主面部１２及び第２主面部１４より小さく、上辺は、開口部２２より下方に位置する。すなわち、仕切り部１６の上辺は、第１境目辺３２及び第２境目辺３４と直交する直線状であり、切り離し部２６と平行にのびており、切り離し部２６より下方に位置している（図１４参照）。
仕切り部１６は、該隣接する第１境目辺３２から第１主面部１２と第２主面部１４との間の収容部２０にのびて、収容部２０に収容された被包装物品Ｇの側胴部を保持するように形成されている。
被包装物品Ｇは、断面及び底面が楕円の楕円筒状胴部を備えた容器であり、円弧状の第１主面部１２と円弧状の第２主面部１４との間において、最も外側に膨出した母線部位の間に短軸が位置し、且つ、第１主面部１２と第２主面部１４との境界（第１境目辺３２及び第２境目辺３４）の間に長軸が位置するように、包装容器１０の収容部２０内に収容される。
ここに言う母線とは、楕円柱等のように、母線の移動によって曲面が描かれるときに、その曲面における、その各位置における直線をいう。
【００５７】
第１主面部１２は、第１境目辺３２と第２境目辺３４とに囲繞され、第１境目辺３２と第２境目辺３４とが平行で、底部２４を構成する下辺が第１境目辺３２及び第２境目辺３４と直交する。
第２主面部１４は、第２境目辺３４と、第２境目辺３４とは反対側に、直線状の長手端縁を備え、第２境目辺３４と該長手端縁とが平行で、底部２４を構成する下辺が第２境目辺３４及び該長手端縁と直交する。
仕切り部１６は、第１境目辺３２と、第１境目辺３２とは反対側において上下方向にのびる、直線状の長手端縁とを備え、第１境目辺３２と該長手端縁とが平行である。
【００５８】
仕切り部１６は、折り目線４０ｃ及び折り目線４０ｄを境として、底部片２８を連設されている。折り目線４０ｃ及び折り目線４０ｄは、折り目線４０ａと直交する直線状である。
【００５９】
底部片２８は、第１主面部１２の内側面と第２主面部１４の内側面との間に架設されたとき第２主面部１４に対向する第１底部辺４２と、第１主面部１２の内側面と第２主面部１４の内側面との間に架設されたとき第１主面部１２に対向する第２底部辺４４とを備えている。
前記折り目線４０ｃ及び折り目線４０ｄは、前記第１底部辺４２の一部を構成し、前記折り目線４０ｃ及び折り目線４０ｄとは反対側の端縁は、前記第２底部辺４４を構成している。
第１底部辺４２は、第１底部辺４２の左右方向における中央領域に中央部４６を備える。中央部４６は、第１主面部１２と第２主面部１４とによって形成される楕円形の中心Ｏ1を通る短軸と交わる点ないしは母線の近傍の円弧状面部を備える。
更に、第１底部辺４２は、該中央部４６の両端から、該第１底部辺４２の中央部４６より左右方向にのびる段差部を備える。段差部は、第１主面部１２と第２主面部１４とによって形成される楕円形の長径と交わる左右両端の点に向けてのび、中央部４６から落ち込む段状になっている。すなわち、段差部は、容器本体１８の右側端部と左側端部とに向けてのび、中央部４６の近傍では第２主面部１４の内側面より離れ、第２主面部１４から離れるに従って徐々に第２主面部１４の内側面に近づく。
段差部は、表面部から視て左側の第１境目辺３２側の第１段差部６０と、第１境目辺３２とは反対側の表面部から視て右側の第２段差部６２とを備える。第１段差部６０は折り目線４０ｃにより構成され、第２段差部６２は折り目線４０ｄにより構成されている。
前記底部片２８は、前記折り目線４０ｃ及び折り目線４０ｄとは反対側の第２底部辺４４が第１主面部１２の内側面の形状に対応した形状である。第１底部辺４２は、中央部４６が第２主面部１４の内側面に接し合う形状である。
中央部４６と折り目線４０ｃとの間及び中央部４６と折り目線４０ｄとの間には、折り目線４０ｃ及び折り目線４０ｄを折り曲げ易くするための凹部４０ｅが形成されている。
仕切り部１６は、第１保持部５２及び第２保持部５４を備え、第１保持部５２と第２保持部５４との間において物品挿入孔５０を形成されている。
【００６０】
第１保持部５２及び第２保持部５４は、物品挿入孔５０側に、物品挿入孔５０に挿入された被包装物品Ｇの側面に弾接される弾接部（第１弾接片５２ａ及び第２弾接片５４ａ）を備える。
第１弾接片５２ａは、第２境目辺３４につながった領域より立ち上がっている。第２弾接片５４ａは、仕切り部１６の第２境目辺３４とは反対側の端縁につながった領域より立ち上がっている。
従って、第１弾接片５２ａ及び第２弾接片５４ａは、弾力性を有している。
【００６１】
被包装物品Ｇは、断面及び底面が円の円筒状胴部を備えた容器であり、円弧状の第１主面部１２と円弧状の第２主面部１４との間において、手前側と向こう側とを結ぶ直径が位置するように収容される。
そして、第１保持部５２の第１弾接片５２ａ及び第２保持部５４の第２弾接片５４ａは、被包装物品Ｇの第１主面部１２及び第２主面部１４の最も外側に位置する部位より、左右側方に下がった面（第１主面部１２及び第２主面部１４の内側面より離れた面）に接して、被包装物品Ｇの移動を制止する。
【００６２】
この実施の形態においては、物品挿入孔５０の両側において切り込みにより形成された細隙５６ａ及び細隙５６ｂと、底部片２８の中央部４６及び段差部の一部において原シート１００に切り込みにより形成された細隙６６とによって、上端及び下端を形成されている。
第１弾接片５２ａは、上方の細隙５６ａ及び細隙５６ｂと下方の細隙６６との間に形成された折り目線５６ｃ及び折り目線５６ｄによって、原シート１００を折り曲げられて、第１保持部５２よりやや手前側に向けて突き出ている。
第２弾接片５４ａは、上方の細隙５６ａ及び細隙５６ｂと下方の細隙６６との間に形成された折り目線５６ｃ及び折り目線５６ｄによって、原シート１００を折り曲げられて、第２保持部５４よりやや手前側に向けて突き出ている。
底部片２８は、平面視半円弧状の中央部４６と、中央部４６より仕切り部１６の左右の下端部に連なる段差部（第１段差部６０及び第２段差部６２）が形成されている。
【００６３】
中央部４６は、被包装物品Ｇの底の形状に対応した半円弧状の端縁を備える。
【００６４】
段差部（第１段差部６０及び第２段差部６２）は、仕切り部１６の左右の側縁と直交する方向に形成されており、底部片２８を第１主面部１２及び第２主面部１４の第１境目辺３２及び第２境目辺３４と直交して水平状に維持し易くしている。
【００６５】
底部片２８は、折り目線４０ｃ及び折り目線４０ｄにおいて第１主面部１２及び第２主面部１４により形成される筒状体の内側面と交差する方向に向けて折り曲げられて、第１主面部１２の内側面と第２主面部１４の内側面との間に架け渡されている。
底部片２８は、前記折り目線４０ｃ及び折り目線４０ｄにおいて、第２底部辺４４を上方向に向けて折り曲げられ、前記第２底部辺４４を第１主面部１２と対向させて密接させ、該底部片２８を第１主面部１２の内側面に固定されることによって、第２主面部１４の内側面との間に架け渡されている。
【００６６】
底部片２８は、第１底部辺４２の一方の端部（表面部から視て左側で第１境目辺３２側）と中央部４６との間に第１段差部６０を形成され、又、他方の端部（表面部から視て右側で第１境目辺３２とは反対側）と中央部４６との間には第２段差部６２を形成されている。
仕切り部１６は、該第１段差部６０から仕切り部１６の長さ方向にのびる第１保持部５２を連設され、且つ第２段差部６２から第２保持部５４を連設されている。
第１段差部６０は、第１底部辺４２の中央部４６より、第１主面部１２と第２主面部１４とにより形成される楕円形の中心Ｏ1を通る長軸側に下がり、折り目線４０ａ（第１境目辺３２）までのびる直線状である。
第２段差部６２は、第１底部辺４２の中央部４６より、第１主面部１２と第２主面部１４とにより形成される楕円形の中心Ｏ1を通る長軸側に下がり、折り目線４０ａ（第１境目辺３２）とは反対側の先端部にのびる直線状である。
第１底部辺４２の中央部４６は、第２主面部１４の内側と密接するように、第２主面部１４の内側面に対応する円弧状縁を形成されている。
【００６７】
第１段差部６０及び第２段差部６２は、第２主面部１４の内側面と接する中央部４６より低く形成され、第１段差部６０に続く第１保持部５２及び第２段差部６２に続く第２保持部５４は、第２主面部１４の内側面から離れる。
第１段差部６０は、第１主面部１２の下辺より上部において、第１境目辺３２と接する。
第２段差部６２は、第１段差部６０と同じ高さにて、第１境目辺３２とは反対側の長手端縁と接する。
前記第１保持部５２及び第２保持部５４は、第１主面部１２と第２主面部１４との間に間隔をあけて、収容部２０の中に向けて折り目線４０ｃ及び折り目線４０ｄの折り曲げに対応して変移され、被包装物品Ｇの側胴部を保持するように、収容部２０内において被包装物品Ｇに沿ってのびる。
【００６８】
物品挿入孔５０は、収容部２０に収容される被包装物品Ｇの外形よりわずかに小さな孔であって、孔縁の近傍に形成された第１保持部５２の第１弾接片５２ａ及び第２保持部５４の第２弾接片５４ａが被包装物品Ｇに弾接されるように構成されている。
第１段差部６０からのびる第１保持部５２及び第２段差部６２からのびる第２保持部５４は、第２主面部１４の内側面と密接する第１底部辺４２の中央部４６より低く形成され、第１弾接片５２ａ及び第２弾接片５４ａが突き出しているので、被包装物品Ｇの側胴部に弾接する。
【００６９】
前記底部片２８は、第１主面部１２又は第２主面部１４の内側面に固定するための第１固定片７０を、第２底部辺４４の左右方向の中央の近傍において第２底部辺４４より突設されている。第１固定片７０は、底部片２８の下縁部から下方に向けて折り目線７４ａを介して突設された舌状片である。
底部片２８は、第２底部辺４４が第１固定片７０を突設された領域の折り目線７４ａと、折り目線７４ａの両方にのびる端縁とにより構成されている。
第１固定片７０は、底部片２８との境界の折り目線７４ａにより折り曲げられる。
第１固定片７０は、後述する第２固定片７６の係止部７８を係止するための係止細孔７２を穿設されている。係止細孔７２は、第２底部辺４４との境界の折り目線７４ａに形成されている。
【００７０】
前記第１主面部１２及び／又は第２主面部１４は、仕切り部１６又は底部片２８を固定するための第２固定片７６を突設されている。第２固定片７６は、第２主面部１４の下縁部から下方に向けて折り目線７４ｂを介して突設された舌状片である。第２固定片７６は、第２主面部１４との境界の折り目線７４ｂにより折り曲げられる。
第２固定片７６は、第１固定片７０に係止するための係止部７８を有している。
【００７１】
底部片２８は、第１底部辺４２を第２主面部１４の内側面に密に接し合わされ、第２底部辺４４を第１主面部１２の内側面に密に接し合わされる。
第１固定片７０は、底部片２８の第２底部辺４４に折り目線７４ａを介して突設されており、該第１固定片７０は、折り目線７４ａにて折り曲げられて下方に垂れ下げられて第２主面部１４の内側面に接し合わされている。
第２固定片７６は、折り目線７４ｂを介して第２主面部１４に突設されている。該第２固定片７６は、折り目線７４ｂにて上方に向けて折り曲げられて前記第１固定片７０の内側面に重ね合わされている。
【００７２】
第１主面部１２は、正面視略縦長長方形であり、上部に正面視略台形状の第１掩蔽部８０を突設されている。
第１掩蔽部８０は、開口部２２を閉塞するために第２主面部１４の上部と固着する領域であって、その下方に第１掩蔽部８０を切り離して開口部２２を開口するための切り離し部２６を形成されている。切り離し部２６は、第１掩蔽部８０の幅方向にのびて、第１掩蔽部８０を切り離すことができるように構成されている。
第２主面部１４は、正面視略縦長長方形であり、収容部２０を形成する容器本体１８部分が第１主面部１２と対称に形成されている。
第２主面部１４は、上部に正面視略半円形状の第２掩蔽部９０を突設されている。
第２掩蔽部９０は、開口部２２を閉塞するために第１主面部１２の上部と固着する領域であって、その上方に、商品展示台の吊り棒等に吊り下げるための吊り下げ孔９２が穿設されている。
【００７３】
吊り下げ孔９２は、第２主面部１４の上部に形成され、吊り下げ手段を構成する。
第２主面部１４は、その中央に収容部２０に収容された被包装物品Ｇを見るための窓部９４を形成されている。
【００７４】
次に、第三の実施の形態の包装容器について、図２０ないし図２５に基づいて説明する。
本発明の第三の実施の形態に係る包装容器１０は、シート材を折り曲げ加工して筒状に形成される包装容器であって、長手方向を有する正面視略長方形の第１主面部１２と、第１主面部１２と対向する長手方向を有する正面視略長方形の第２主面部１４と、第１主面部１２と第２主面部１４との間に介在する仕切り部１６とを備えている。
この実施の形態にかかる包装容器１０は、第１主面部１２が表面部を構成し、第２主面部１４が背面部を構成する。
【００７５】
第１主面部１２と第２主面部１４とによって構成される容器本体１８は、全体が上部から下部に至るに従って拡がる筒状体であって、上部が偏平で、下部が偏平円筒状に形成されている。
容器本体１８の上部は、第１主面部１２と第２主面部１４とが密着されて一文字状に閉塞され、その下部に収容部２０を形成されている。
容器本体１８は、上部に、収容部２０内の被包装物品Ｇを取り出すための開口部２２を形成されている。
開口部２２は、第１主面部１２と第２主面部１４とを密着させた接合領域のやや下方に設けられた切り離し部２６を切り取ることにより、開口するように構成されている。
容器本体１８は、下部に、載置面に自立するための平面視略卵形ないしは円弧状面と円弧状面とを両側面とするレンズ形の底部２４を形成されている。
第１主面部１２は、表面部から視て右側の折り目線４０ａにより第１境目辺３２を形成され、表面部から視て左側の折り目線４０ｂにより第２境目辺３４を形成されている。
そして、第２主面部１４は、原シート１００において、第１主面部１２の右側に連設されている。
仕切り部１６は、原シート１００において、第１主面部１２の左側に連設されている。
第１主面部１２は、中央に窓部９４を設けられ、上部に吊り下げ孔９２を設けられている。
【００７６】
底部２４を構成する第１主面部１２と第２主面部１４との間は、被包装物品Ｇの形状に沿って外方に向けて膨らみ、第１主面部１２の内面と第２主面部１４の内面とに、仕切り部１６に連設された底部片２８を架け渡されて、容器本体１８の収容部２０を塞いでいる。
【００７７】
仕切り部１６は、筒状に形成された前記第１主面部１２と第２主面部１４との間の被包装物品Ｇを収容する収容部２０の中に設けられており、収容部２０を第１主面部１２側の第１空間部３０ａと第２主面部１４側の第２空間部３０ｂとに分ける。
【００７８】
第１主面部１２と第２主面部１４とは、容器本体１８の幅方向における一端部（表面部から視て右側端部）と他端部（表面部から視て左側端部）とにおいて隣接して連設されている。第１主面部１２と第２主面部１４とは、第１境目辺３２を境として隣接されており、第１境目辺３２は折り目線４０ａをもって形成されている。
【００７９】
仕切り部１６は、前記第１主面部１２又は第２主面部１４と、容器本体１８の幅方向における一端部（表面部から視て右側端部）と他端部（表面部から視て左側端部）とにおいて隣接している。仕切り部１６と第２主面部１４とは、第２境目辺３４を境として隣接されており、第２境目辺３４は、折り目線４０ｂをもって形成されている。
仕切り部１６は、第１主面部１２と第２主面部１４とによって囲繞されて形成される収容部２０内に収まるように、第１主面部１２及び第２主面部１４より小さく、上辺は、開口部２２より下方に位置する。すなわち、仕切り部１６の上辺は、第１境目辺３２及び第２境目辺３４と直交する直線状であり、切り離し部２６と平行にのびており、切り離し部２６より下方に位置している（図２０参照）。
仕切り部１６は、該隣接する第２境目辺３４から第１主面部１２と第２主面部１４との間の収容部２０にのびて、収容部２０に収容された被包装物品Ｇの側胴部を保持するように形成されている。
被包装物品Ｇは、断面及び底面が楕円の楕円筒状胴部を備えた容器であり、円弧状の第１主面部１２と円弧状の第２主面部１４との間において、最も外側に膨出した母線部位の間に短軸が位置し、且つ、第１主面部１２と第２主面部１４との境界（第１境目辺３２及び第２境目辺３４）の間に長軸が位置するように、包装容器１０の収容部２０内に収容される。
ここに言う母線とは、楕円柱等のように、母線の移動によって曲面が描かれるときに、その曲面における、その各位置における直線をいう。
【００８０】
第１主面部１２は、第１境目辺３２と第２境目辺３４とに囲繞され、第１境目辺３２と第２境目辺３４とが平行で、底部２４を構成する下辺が第１境目辺３２及び第２境目辺３４と直交する。
第２主面部１４は、第２境目辺３４と、第２境目辺３４とは反対側に、直線状の長手端縁を備え、第２境目辺３４と該長手端縁とが平行で、底部２４を構成する下辺が第２境目辺３４及び該長手端縁と直交する。
仕切り部１６は、第１境目辺３２と、第１境目辺３２とは反対側において上下方向にのびる、直線状の長手端縁とを備え、第１境目辺３２と該長手端縁とが平行である。
【００８１】
仕切り部１６は、折り目線４０ｃ及び折り目線４０ｄを境として、底部片２８を連設されている。折り目線４０ｃ及び折り目線４０ｄは、被包装物品Ｇの形状に沿って、左右方向と交差する手前側と向こう側との方向において外方に向けて膨らむ第１主面部１２の内側面と第２主面部１４の内側面の形状に対応した形状である。
【００８２】
底部片２８は、第１主面部１２の内側面と第２主面部１４の内側面との間に架設されたとき第２主面部１４に対向する第１底部辺４２と、第１主面部１２の内側面と第２主面部１４の内側面との間に架設されたとき第１主面部１２に対向する第２底部辺４４とを備えている。
前記折り目線４０ｃ及び折り目線４０ｄは、前記第１底部辺４２の一部を構成し、前記折り目線４０ｃ及び折り目線４０ｄとは反対側の端縁は、前記第２底部辺４４を構成している。
第１底部辺４２は、第１底部辺４２の左右方向における中央領域に中央部４６を備える。中央部４６は、第１主面部１２と第２主面部１４とによって形成される楕円形の中心Ｏ1を通る短軸と交わる点ないしは母線の近傍の円弧状面部を備える。
更に、第１底部辺４２は、該中央部４６の両端から、該第１底部辺４２の中央部４６より左右方向にのびる段差部を備える。段差部は、第１主面部１２と第２主面部１４とによって形成される楕円形の長径と交わる左右両端の点に向けてのび、中央部４６から落ち込む段状になっている。すなわち、段差部は、容器本体１８の右側端部と左側端部とに向けてのび、中央部４６の近傍では第２主面部１４の内側面より離れ、第２主面部１４から離れるに従って徐々に第２主面部１４の内側面に近づく。
段差部は、表面部から視て右側の第１境目辺３２側の第１段差部６０と、第１境目辺３２とは反対側の表面部から視て左側の第２段差部６２とを備える。第１段差部６０は折り目線４０ｃにより構成され、第２段差部６２は折り目線４０ｄにより構成されている。
前記底部片２８は、前記折り目線４０ｃ及び折り目線４０ｄとは反対側の第２底部辺４４が第１主面部１２の内側面の形状に対応した形状であって、第１底部辺４２が第２主面部１４の内側面の形状に対応した形状である。
中央部４６と折り目線４０ｃとの間及び中央部４６と折り目線４０ｄとの間には、折り目線４０ｃ及び折り目線４０ｄを折り曲げ易くするための凹部４０ｅが形成されている。
【００８３】
底部片２８は、折り目線４０ｃ及び折り目線４０ｄにおいて第１主面部１２及び第２主面部１４により形成される筒状体の内側面と交差する方向に向けて折り曲げられて、第１主面部１２の内側面と第２主面部１４の内側面との間に架け渡されている。
底部片２８は、前記折り目線４０ｃ及び折り目線４０ｄにおいて、第２底部辺４４を上方向に向けて折り曲げられ、前記第２底部辺４４を第１主面部１２と対向させて密接させ、該底部片２８を第１主面部１２の内側面に固定されることによって、第２主面部１４の内側面との間に架け渡されている。
【００８４】
仕切り部１６は、長手方向にのびる物品挿入孔５０を形成されて少なくとも一部分が左右に分割され、該物品挿入孔５０の孔縁の近傍に第１保持部５２及び第２保持部５４を形成されている。左右に分かれた前記第１保持部５２と第２保持部５４とは、物品挿入孔５０に装填された被包装物品Ｇの側胴部に左右の両側より接し合うように形成されている。
【００８５】
底部片２８は、第１底部辺４２の一方の端部（表面部から視て右側で第１境目辺３２側）と中央部４６との間に第１段差部６０を形成され、又、他方の端部（表面部から視て左側で第１境目辺３２とは反対側）と中央部４６との間には第２段差部６２を形成されている。
仕切り部１６は、該第１段差部６０から仕切り部１６の長さ方向にのびる第１保持部５２を連設され、且つ第２段差部６２から第２保持部５４を連設されている。
第２段差部６２は、第１底部辺４２の中央部４６より、第１主面部１２と第２主面部１４とにより形成される楕円形の中心Ｏ1を通る長軸側に下がり、折り目線４０ｂ（第２境目辺３４）までのびる円弧状である。
第１段差部６０は、第１底部辺４２の中央部４６より、第１主面部１２と第２主面部１４とにより形成される楕円形の中心Ｏ1を通る長軸側に下がり、折り目線４０ｂ（第２境目辺３４）とは反対側の先端部にのびる円弧状である。
第１底部辺４２の中央部４６は、第２主面部１４の内側と密接するように、第２主面部１４の内側面に対応する円弧状縁を形成されている。
【００８６】
第１段差部６０及び第２段差部６２は、第２主面部１４の内側面と接する中央部４６より低く形成され、第１段差部６０に続く第１保持部５２及び第２段差部６２に続く第２保持部５４は、第２主面部１４の内側面から離れる。
第１段差部６０は、第１主面部１２の下辺より上部において、第１境目辺３２と接する。
第２段差部６２は、第１段差部６０と同じ高さにて、第１境目辺３２とは反対側の長手端縁と接する。
前記第１保持部５２及び第２保持部５４は、第１主面部１２と第２主面部１４との間に間隔をあけて、収容部２０の中に向けて折り目線４０ｃ及び折り目線４０ｄの折り曲げに対応して変移され、被包装物品Ｇの側胴部を保持するように、収容部２０内において被包装物品Ｇに沿ってのびる。
【００８７】
物品挿入孔５０は、収容部２０に収容される被包装物品Ｇの外形よりわずかに小さな孔であって、孔縁の近傍に形成された第１保持部５２及び第２保持部５４が被包装物品Ｇに弾接されるように構成されている。
第１段差部６０からのびる第１保持部５２及び第２段差部６２からのびる第２保持部５４は、第２主面部１４の内側面と密接する第１底部辺４２の中央部４６より低く形成されているので、被包装物品Ｇの第２主面部１４の内側面に接する部位より低い側胴部に弾接する。
【００８８】
前記底部片２８は、第１主面部１２又は第２主面部１４の内側面に固定するための第１固定片７０を、第２底部辺４４の左右方向の中央の近傍において第２底部辺４４より突設されている。第１固定片７０は、底部片２８の下縁部から下方に向けて折り目線７４ａを介して突設された舌状片である。
底部片２８は、第２底部辺４４が第１固定片７０を突設された領域の折り目線７４ａと、折り目線７４ａの両方にのびる端縁とにより構成されている。
第１固定片７０は、底部片２８との境界の折り目線７４ａにより折り曲げられる。
第１固定片７０は、後述する第２固定片７６の係止部７８を係止するための係止細孔７２を穿設されている。係止細孔７２は、第２底部辺４４との境界の折り目線７４ａに形成されている。
【００８９】
前記第１主面部１２及び／又は第２主面部１４は、仕切り部１６又は底部片２８を固定するための第２固定片７６を突設されている。第２固定片７６は、第１主面部１２の下縁部から下方に向けて折り目線７４ｂを介して突設された舌状片である。第２固定片７６は、第１主面部１２との境界の折り目線７４ｂにより折り曲げられる。
第２固定片７６は、第１固定片７０に係止するための係止部７８を有している。
【００９０】
底部片２８は、第１底部辺４２を第２主面部１４の内側面に密に接し合わされ、第２底部辺４４を第１主面部１２の内側面に密に接し合わされる。
第１固定片７０は、底部片２８の第２底部辺４４に折り目線７４ａを介して突設されており、該第１固定片７０は、折り目線７４ａにて折り曲げられて下方に垂れ下げられて第１主面部１２の内側面に接し合わされている。
第２固定片７６は、折り目線７４ｂを介して第１主面部１２に突設されている。該第２固定片７６は、折り目線７４ｂにて上方に向けて折り曲げられて前記第１固定片７０の内側面に重ね合わされている。
【００９１】
第１主面部１２は、正面視略縦長長方形であり、上部に正面視略台形状の第１掩蔽部８０を突設されている。
第１掩蔽部８０は、開口部２２を閉塞するために第２主面部１４の上部と固着する領域であって、その下方に第１掩蔽部８０を切り離して開口部２２を開口するための切り離し部２６を形成されている。切り離し部２６は、第１掩蔽部８０の幅方向にのびて、第１掩蔽部８０を切り離すことができるように構成されている。
第２主面部１４は、正面視略縦長長方形であり、収容部２０を形成する容器本体１８部分が第１主面部１２と対称に形成されている。
第２主面部１４は、上部に正面視略半円形状の第２掩蔽部９０を突設されている。
第２掩蔽部９０は、開口部２２を閉塞するために第１主面部１２の上部と固着する領域であって、その上方に、商品展示台の吊り棒等に吊り下げるための吊り下げ孔９２が穿設されている。
【００９２】
吊り下げ孔９２は、第２主面部１４の上部に形成され、吊り下げ手段を構成する。
第２主面部１４は、その中央に収容部２０に収容された被包装物品Ｇを見るための窓部９４を形成されている。
【００９３】
次に、第四の実施の形態の包装容器について、図２６及び図２７に基づいて説明する。
本発明の第四の実施の形態に係る包装容器１０は、第三の実施の形態に係る包装容器１０と略々同一の構造を有しており、シート材を折り曲げ加工して筒状に形成される包装容器であって、長手方向を有する正面視略長方形の第１主面部１２と、第１主面部１２と対向する長手方向を有する正面視略長方形の第２主面部１４と、第１主面部１２と第２主面部１４との間に介在する仕切り部１６とを備えている。
この実施の形態にかかる包装容器１０は、第１主面部１２が表面部を構成し、第２主面部１４が背面部を構成する。
【００９４】
第１主面部１２と第２主面部１４とによって構成される容器本体１８は、全体が上部から下部に至るに従って拡がる筒状体であって、上部が偏平で、下部が偏平円筒状に形成されている。
容器本体１８の上部は、第１主面部１２と第２主面部１４とが密着されて一文字状に閉塞され、その下部に収容部２０を形成されている。
容器本体１８は、上部に、収容部２０内の被包装物品Ｇを取り出すための開口部２２を形成されている。
開口部２２は、第１主面部１２と第２主面部１４とを密着させた接合領域のやや下方に設けられた切り離し部２６を切り取ることにより、開口するように構成されている。
容器本体１８は、下部に、載置面に自立するための平面視略卵形ないしは円弧状面と円弧状面とを両側面とするレンズ形の底部２４を形成されている。
【００９５】
第２主面部１４は、第２境目辺３４とは反対側の端縁に、正面視長方形の表示片３８を突設されている。
表示片３８は、被包装物品Ｇの説明文や商標等を表示する領域であって、吊り下げられた包装容器１０の側方に突き出て、目立ち易くなっている。
【００９６】
第２主面部１４と表示片３８とは、折り目線３８ａによって区画されている。第２主面部１４が湾曲しても、表示片３８は、折り目線３８ａによって略々平板状を保つ。
【００９７】
表示片３８と第１掩蔽部８０との間は、スリット等により分離されており、第２主面部１４側の第１掩蔽部８０を切り離し部２６の近傍において内側に折り曲げ、第１固着部８２を第１主面部１２側の第２掩蔽部９０の内側と対向させ接着することができるように構成されている。すなわち、表示片３８は、第２主面部１４の第１掩蔽部８０を折り曲げても、平板状を保つことができ、被包装物品Ｇの説明文や商標等を正しく且つ見易くできる。
【産業上の利用可能性】
【００９８】
この発明に係る包装容器は、化粧品等の比較的小物の商品の包装のみならず、大きな製品等の包装もすることができる。
【符号の説明】
【００９９】
１０  包装容器
１２  第１主面部
１４  第２主面部
１６  仕切り部
１８  容器本体
２０  収容部
２２  開口部
２４  底部
２６  切り離し部
２８  底部片
３０ａ  第１空間部
３０ｂ  第２空間部
３２  第１境目辺
３４  第２境目辺
３８  表示片
３８ａ，４０ａ，４０ｂ，４０ｃ，４０ｄ，５６ｃ，５６ｄ，７４ａ，７４ｂ  折り目線
４０ｅ  凹部
４２  第１底部辺
４４  第２底部辺
４６  中央部
５０  物品挿入孔
５２  第１保持部
５２ａ  第１弾接片
５４  第２保持部
５４ａ  第２弾接片
５６ａ，５６ｂ，６６  細隙
５８  第２固着部
６０  第１段差部
６２  第２段差部
７０  第１固定片
７２  係止細孔
７６  第２固定片
７８  係止部
８０  第１掩蔽部
８２  第１固着部
９０  第２掩蔽部
９２  吊り下げ孔
９４  窓部
１００  原シート
Ｇ  被包装物品
Ｏ1  第１主面部と第２主面部とによって形成される楕円形の中心
【図１】
2014151930.tif 000003
【図２】
2014151930.tif 000004
【図３】
2014151930.tif 000005
【図４】
2014151930.tif 000006
【図５】
2014151930.tif 000007
【図６】
2014151930.tif 000008
【図７】
2014151930.tif 000009
【図８】
2014151930.tif 000010
【図９】
2014151930.tif 000011
【図１０】
2014151930.tif 000012
【図１１】
2014151930.tif 000013
【図１２】
2014151930.tif 000014
【図１３】
2014151930.tif 000015
【図１４】
2014151930.tif 000016
【図１５】
2014151930.tif 000017
【図１６】
2014151930.tif 000018
【図１７】
2014151930.tif 000019
【図１８】
2014151930.tif 000020
【図１９】
2014151930.tif 000021
【図２０】
2014151930.tif 000022
【図２１】
2014151930.tif 000023
【図２２】
2014151930.tif 000024
【図２３】
2014151930.tif 000025
【図２４】
2014151930.tif 000026
【図２５】
2014151930.tif 000027
【図２６】
2014151930.tif 000028
【図２７】
2014151930.tif 000029
【図２８】
2014151930.tif 000030